(57)【要約】【課題】  左右方向の移動や反転、回転運動や、前後左右の身体のバランスの鍛錬や運動を誰でもが容易に購入して使用でき且つ簡易な運動具は無かった。【解決手段】  足裏に固定した足裏台の下方に基台を設け、該基台から頂部を突出させたローラーボールを備えたローラーボール運動具で、基台に凹設したローラーボール収納部と、複数の球状ベアリング収納部と、底部に内置した弾性体を介装すると共に頂部が突出するように収納した球状ベアリングと、ローラーボール収納部に収納したローラーボールと、頂部が突出するように開口部を開口させたローラーボール安定板と、リング状の受け皿部と固定手段を設けた押さえ部材とを備えた構成よりなる。【選択図】  図１
2007021120.tif 000002
【特許請求の範囲】
【請求項１】
足裏にずれないように固定する固定手段を有した足裏台と、該足裏台の土踏まず位置の直下の下方に膨出させて固定した基台と、該基台の下面に開口させて凹設したローラーボール収納部と、該ローラーボール収納部に開口させて凹設した複数の球状ベアリング収納部と、該複数の球状ベアリング収納部の底部に上方に弾性を付与するように内置した弾性体を介装すると共に開口から頂部が突出するように夫々収納した球状ベアリングと、該複数の球状ベアリングの頂部に当接させて前記ローラーボール収納部に回転自在に収納したローラーボールと、該ローラーボールの回転を安定させると共に頂部が突出するように開口部を開口させたローラーボール安定板と、該ローラーボール安定板の周辺を押圧するリング状の受け皿部と、該受け皿部を前記基台に固定する固定手段を設けた押さえ部材と、を備えたことを特徴とするローラーボール運動具。
【発明の詳細な説明】
【技術分野】
【０００１】  本発明は両足に装着するローラーボールを用いたローラーボール運動具に関するものであり、更に、詳細には、ローラーボールと複数の球状ベアリングとの特性を生かして平面上のあらゆる角度で、足首、膝、股関節の内外転、屈伸等の運動、又は、身体のバランス運動を容易に行うことができる簡易なローラーボール運動具に関するものである。
【背景技術】
【０００２】  従来、この種の運動具としてはローラースケートがあり、ローラースケートは回転軸を中心に備えた車輪状のローラーを用いて、競技等も行われるものであるが、前後方向のみに移動が容易な構造と成っているもので、左右方向の移動や反転、回転運動や、前後左右の身体のバランスの鍛錬や運動を誰でもが容易に購入して使用でき且つ簡易な運動具は無かった。【０００３】  例えば、変形性膝関節症の予防のための訓練を的確に行うものとして、左右の足を載せるための左右一対のステップ４，４と、各ステップ４を夫々前後方向にスライド自在とするとともに鉛直軸回りの回転が自在となっている左右一対のスライダー３，３と、両スライダー３，３を前後方向に直進往復移動する移動手段とを備える。前後動に加えてスライダー３の鉛直軸回りの回転により内転・外転の動きを加えることができるもの（特許文献１参照）や、リハビリ運動を安全に行なうことが出来るダンパー付リハビリ装置を提供するものとして、負荷を与えてリハビリするリハビリ装置（３４）において、基台（７）に、バネ（６）等でなる収縮部材、又は重錘（２３）等でなる重力部材で構成された負荷抵抗（５）と、負荷抵抗（５）に連結され人が作用する装着具（２）とが設けられてなり、前記装着具（２）の移動速度を制動するダンパー又はブレーキが、負荷抵抗（５）の出力部位側と基台（７）側とに亘って設けられ、装着具（２）が往復動のうち復動する時にゆっくり復動し、ダンパーは、ピニオン（１３）と支持アーム（１２）とに亘って設けられるロータリーダンパー（１５）で構成されるダンパー付リハビリ装置であるもの（特許文献２参照）や、踏み板の角度調節を円滑に無段階に行うことができ、しかも身体を安定的に支承できる脚部ストレッチ具を得るものとして、フロア上に置くことができる基台１の後部に、左右の足をそれぞれ乗せることができる一対の踏み板３Ｌ，３Ｒを傾動可能に支持し、前記基台１及び前記踏み板３Ｌ，３Ｒの何れか一方に対して独立手動操作可能に設けた一対の送りねじ９Ｌ，９Ｒに可動コマ１０Ｌ，１０Ｒをねじ込み、これらの可動コマ１０Ｌ，１０Ｒがそれぞれ同時に接触できる固定側傾斜カム４Ｌ，４Ｒ及び可動側傾斜カム５Ｌ，５Ｒを前記基台１及び前記踏み板３Ｌ，３Ｒに設けた脚部ストレッチ具（特許文献３参照）等が開示されている。
【特許文献１】特開２００３−１２６１９１号公報
【特許文献１】特開２００３−２９０３８７号公報
【特許文献１】特開２００３−２９９７４９号公報
【発明の開示】
【発明が解決しようとする課題】
【０００４】  然し乍ら、前述の特許文献１では、前後方向にスライド自在とするとともに鉛直軸回りの回転が自在となっている左右一対のスライダー３，３とを備えており、前後方向と鉛直軸回りの回転は自在となっているものであるが、図１に図示されるように、パーツの数が多く大掛かりな装置であり、個人単位で備えることは困難なものであり、更に、特許文献２では、安全にリハビリ運動を行うことは可能であるが、足の往復運動のみであり、左右方向やバランス運動はできず、更には、大掛かりな装置であり、個人単位で備えることは困難なものであり、加えて、特許文献３では、踏み板３Ｌ，３Ｒを踏んで足首の上下運動を行うには好適なものであるが、前後左右の移動や、バランス運動を行うことはできないものである。
【課題を解決するための手段】
【０００５】  本発明のローラーボール運動具は、前述の課題に鑑み、鋭意研鑽の結果、足裏に固定する固定手段を有した足裏台と、足裏台の下方に膨出させて固定した基台と、基台に凹設したローラーボール収納部と、ローラーボール収納部に凹設した複数の球状ベアリング収納部と、複数の球状ベアリング収納部の底部に内置した弾性体を介装すると共に頂部が突出するように収納した球状ベアリングと、複数の球状ベアリングに当接させてローラーボール収納部に収納したローラーボールと、ローラーボールの回転を安定させると共に頂部が突出するように開口部を開口させたローラーボール安定板と、ローラーボール安定板を押圧するリング状の受け皿部と、受け皿部を基台に固定する固定手段を設けた押さえ部材と、を備えたものである。
【発明の効果】
【０００６】  本発明のローラーボール運動具は、足裏に固定した足裏台の下方に基台を設け、該基台から頂部を突出させたローラーボールを備えたものであって、両足に固定して起立し身体のバランス感覚を鍛錬すると共に、前後、左右、反転、回転等の移動ができ、足首、膝、股関節の内外転、屈伸等の運動することを可能とするもので、画期的で実用性の高い発明である。
【発明を実施するための最良の形態】
【０００７】  以下、本発明のローラーボール運動具の実施例の図面を用いて詳細に説明すると、図１は本発明のローラーボール運動具の実施例の装着状態の側面説明図であり、図２は本発明のローラーボール運動具の実施例の組立状態の断面説明図あでり、図３は本発明のローラーボール運動具の実施例の分解説明図である。【０００８】  本発明は両足に装着するローラーボールを用いたローラーボール運動具に関するものであり、更に、詳細には、ローラーボールと複数の球状ベアリングとの特性を生かして平面上のあらゆる角度で、足首、膝、股関節の内外転、屈伸等の運動、又は、身体のバランス運動を容易に行うことができる簡易なローラーボール運動具に関するものであり、足裏にずれないように固定する固定手段１ａを有した足裏台１と、該足裏台１の土踏まず位置の直下の下方に膨出させて固定した基台２と、該基台２の下面に開口させて凹設したローラーボール収納部３と、該ローラーボール収納部３に開口させて凹設した複数の球状ベアリング収納部４と、該複数の球状ベアリング収納部４の底部に上方に弾性を付与するように内置した弾性体４ａを介装すると共に開口から頂部が突出するように夫々収納した球状ベアリング５と、該複数の球状ベアリング５の頂部に当接させて前記ローラーボール収納部３に回転自在に収納したローラーボール６と、該ローラーボール６の回転を安定させると共に頂部が突出するように開口部を開口させたローラーボール安定板７と、該ローラーボール安定板７の周辺を押圧するリング状の受け皿部８と、該受け皿部８を前記基台２に固定する固定手段９ａを設けた押さえ部材９と、を備えたことを特徴とするものである。
【実施例】
【０００９】  即ち、本発明のローラーボール運動具の足裏台１は一般的な靴底状のもので、足裏にずれないように固定する固定手段１ａを有したもので、固定手段１ａは靴のようにカバーにしたり、図１に図示するように、ベルトで固定して凹凸、立設リブ状のもの形成することにより、ずれないようにしたもので構わないものである。【００１０】  そして、基台２は円錐截台状のもので、底面を足裏台１の土踏まず位置の直下に接着や固定具により強固に固定させ、下方に膨出しているもので、後述するローラーボール収納部３や複数の球状ベアリング５収納部４を凹設しているものである。【００１１】  次いで、ローラーボール収納部３は基台２の下面に開口させて凹設したものであり、後述するローラーボール６を複数の球状ベアリング５を介装させて収納するもので、略半球状に形成しても、図２に図示する如く、立方形状に形成しても構わないものである。【００１２】  次に、複数の球状ベアリング収納部４はローラーボール収納部３に開口させて凹設しているもので、後述するローラーボール６をローラーボール収納部３に接触しないように下方及び側方から支持するもので３〜７ヵ所程度が良好なものである。【００１３】  更に、夫々の球状ベアリング５は複数の球状ベアリング収納部４の開口から頂部が突出するように夫々収納されものであるが、球状ベアリング収納部４の底部には板バネ又はコイルスプリング等の弾性体４ａを内置することによって、夫々の球状ベアリング５を上方に位置させるように弾性を付与しているものである。【００１４】  そして、ローラーボール６は前記複数の球状ベアリング５の頂部に球面を当接させてローラーボール収納部３に収納したことにより、全方向に回転自在としているものである。【００１５】  更には、ローラーボール安定板７はローラーボール６の直径より小径とした開口部７ａを開口させて、ローラーボール６の頂部が突出するようにしており、ローラーボール６の遊動回転を安定させるものである。【００１６】  次に、受け皿部８はローラーボール安定板７の周辺を押圧するリング状のもので、中央にはローラーボール６の頂部が突出するように開口しているものである。【００１７】  更に、押さえ部材９は受け皿部８を基台２に固定するもので、固定手段９ａは実施例では外周辺に複数のビス孔を穿設して複数のビスで固定しているものである。【００１８】  本発明のローラーボール運動具は、ローラーボール６の頂部で体重を支えることになりアンバランスな状態と成り易いものであるが、足裏台１のつま先部や踵部を床面に着けることによりブレーキがかかり安全に使用できるものである。
【産業上の利用可能性】
【００１９】  本発明のローラーボール運動具は、両足に装着して腰掛けた状態や起立して手摺り等を把持した状態で、足首、膝、股関節の内外転、屈伸等の運動ができ、更には、両手を離して身体のバランス運動を容易に行うことができ、また、平面上のあらゆる角度で走行することも可能で、前後左右方向の移動や反転、回転運動や、前後左右の身体のバランスの鍛錬や運動を誰でもが容易にできるものである。
【図面の簡単な説明】
【００２０】
【図１】  図１は本発明のローラーボール運動具の実施例の装着状態の側面説明図である。
【図２】  図２は本発明のローラーボール運動具の実施例の組立状態の断面説明図である。
【図３】  図３は本発明のローラーボール運動具の実施例の分解説明図である。
【符号の説明】
【００２１】  １      足裏台
１ａ    固定手段
２      基台
３      ローラーボール収納部
４      球状ベアリング収納部
４ａ    弾性体
５      球状ベアリング
６      ローラーボール
７      ローラーボール安定板
７ａ    開口部
８      受け皿部
９      押さえ部材
９ａ    固定手段
【図１】
2007021120.tif 000003
【図２】
2007021120.tif 000004
【図３】
2007021120.tif 000005